(57)【要約】      （修正有）【課題】鍋に取り付けられたグリップ部を装備した圧力調理器である。【解決手段】家庭用圧力調理器に関連し、この家庭用圧力調理器は、壁を備えた鍋（２）と、前記鍋（２）に取り付けて、前記鍋と共に実質的に不浸透性の調理チャンバを形成するように設計された蓋と、取り付け手段（２０Ａ）によって前記鍋（２）に取り付けられた少なくとも１つのグリップ部（２０）とを備えており、前記取り付け手段（２０Ａ）は少なくとも、前記鍋（２）の壁を通過する取り付け口（２００Ａ）を備え、前記取り付け口（２００Ａ）は、前記調理チャンバの内部と連通しないように前記鍋（２）の壁上に位置決めされており、前記グリップ部（２０）に接続し、前記取り付け口（２００Ａ）を通って延びる取り付け部（２０１Ａ）をさらに備えている。【選択図】図６
2009082693.tif 000002
【特許請求の範囲】
【請求項１】
家庭用圧力調理器（１）であって、
壁を備えた鍋（２）と、
前記鍋（２）に取り付けて、前記鍋と共に実質的に不浸透性の調理チャンバを形成するように設計された蓋（３）と、
取り付け手段（２０Ａ）によって前記鍋（２）に取り付けられた少なくとも１つのグリップ部（２０）と、を備えており、
前記取り付け手段（２０Ａ）は、少なくとも、
前記鍋（２）の壁を通過する取り付け口（２００Ａ）を備え、前記取り付け口（２００Ａ）は、前記調理チャンバの内部と連通しないように前記鍋（２）の壁上に位置決めされており、
前記グリップ部（２０）に接続し、前記取り付け口（２００Ａ）を通って延びた取り付け部（２０１Ａ）をさらに備えていることを特徴とする、家庭用圧力調理器（１）。
【請求項２】
前記鍋（２）の壁が、基部（２Ａ）と、前記基部（２Ａ）から上昇し、前記基部を囲う外縁となる側壁（２Ｂ）とを備えており、前記取り付け口（２００Ａ）は前記側壁（２Ｂ）を通って位置決めされていることを特徴とする、請求項１に記載の圧力調理器（１）。
【請求項３】
前記蓋（３）が、実質的に不浸透性の境界範囲（６０）に従って、前記鍋（２）の側壁と接触し前記調理チャンバを形成するように設計されており、前記調理チャンバは前記基部（２Ａ）、前記蓋（３）、前記境界範囲（６０）、さらに、前記基部（２Ａ）と前記境界範囲（６０）の間に延びる前記側壁（２Ｂ）の部分（７０）とによって画定されており、前記取り付け口（２００Ａ）はこの部分（７０）の外側に配置されていることを特徴とする、請求項２に記載の圧力調理器（１）。
【請求項４】
前記側壁（２Ｂ）が、前記鍋（２）の内部と対向して配置された内面（３０）と、これの反対側にあたる外面（３１）とを有し、前記蓋（３）が降下縁（３Ｂ）を有し、前記降下縁（３Ｂ）は、前記鍋（２）内に導入され、前記側壁（２Ｂ）の前記内面（３０）と不浸透的に接触するように設計されていることを特徴とする、請求項２または３に記載の圧力調理器（１）。
【請求項５】
前記降下縁（３Ｂ）は密封部（３Ｃ）を具備しており、前記鍋（２）と前記蓋（３）の間の前記不浸透性接触は前記密封部（３Ｃ）を介して形成されることを特徴とする請求項４に記載の圧力調理器（１）。
【請求項６】
前記グリップ部（２０）が少なくとも、実質的に前記鍋（２）から前記鍋（２）の外部へと延びたハンドル（２１）を備えていることを特徴とする、請求項１〜５のいずれか１項に記載の圧力調理器（１）。
【請求項７】
前記取り付け部（２０１Ａ）が、前記グリップ部（２０）が取り付けられる外端部（２０２Ａ）と、前記鍋（２）と接触する頭部が取り付けられた内端部（２０３Ａ）との間で、前記取り付け口（２００Ａ）を通って延びていることを特徴とする、請求項１〜６のいずれか１項に記載の圧力調理器（１）。
【請求項８】
前記取り付け部（２０１Ａ）が、少なくとも、頭部（４０Ａ）を具備したネジ（４０）と、前記頭部（４０Ａ）から前記取り付け口（２００Ａ）を通って延びるねじ切りロッド（４０Ｂ）とを備えており、前記グリップ部（２０）は、内部に前記ねじ切りロッド（４０Ｂ）がねじ込まれるタップ穴（５０）を設けており、前記頭部（４０Ａ）は前記鍋（２）の内部に位置決めされており、前記鍋の内部と接触することを特徴とする、請求項１〜７のいずれか１項に記載の圧力調理器（１）。
【請求項９】
前記タップ穴（５０）が、めくら穴であることを特徴とする、請求項８に記載の圧力調理器（１）。
【請求項１０】
前記グリップ部（２０）が、前記鍋（２）の壁に直接取り付けられていることを特徴とする、請求項１〜９のいずれか１項に記載の圧力調理器（１）。
【発明の詳細な説明】
【技術分野】
【０００１】
本発明は、調理用容器タイプの台所道具の一般的な技術分野に関し、特に、加圧蒸気を使用する物を含む、食品を調理するように設計された加圧式調理用深鍋のような圧力調理器の技術分野に関する。
【０００２】
本発明は特に、家庭用圧力調理器に関し、この家庭用圧力調理器は、
−壁を備えた鍋と、
−鍋に取り付けて、鍋と共に実質的に不浸透性の調理チャンバを形成するように設計された蓋と、
−取り付け手段によって鍋に取り付けられた少なくとも１つのグリップ部とを備えている。
【背景技術】
【０００３】
家庭用圧力調理器は公知の調理器具である。家庭用圧力調理器は、通常、鍋と蓋で構成されている。鍋は金属製であり、食品を収容するように設計されており、蓋も金属製であり、鍋に追加してロックすることで、鍋と共に不浸透性の調理チャンバを形成するように設計されている。
【０００４】
このような圧力調理器は、チャンバの圧力および温度を上昇させて、内部の食品を加圧調理するために、熱源（例えば調理用レンジの最上部）の影響に晒されるように設計されている。
【０００５】
周知の圧力調理器の鍋は、一般的に鍋の側壁に正反対に対向して固定された一対のハンドルを具備しており、この場合、ハンドルは鍋の側壁から鍋の外部へと延びている。これらのハンドルによって使用者は、特に、調理済みまたは未調理の食品と、恐らくはこれに伴う調理液とが圧力調理器に内容されている場合に、鍋だけでなく、圧力調理器（鍋と蓋を組み立てて形成されたもの）全体を扱うことが可能となる。
【０００６】
金属製の鍋は、一般に型押しのような冶金製造方法によって得られる。使用者が加熱された鍋のハンドルを持った際に火傷を負わないように、ハンドルは、一般的に熱絶縁性の熱硬化材料で作成されている。
【０００７】
鍋（未完成金属片を型押しして作成）とハンドル（熱硬化性の材料で鋳造）の性質が違うため、当然ながら鍋とハンドルを一体構造として製造することはできない。そのため、ハンドルを鍋に追加して、取り付ける必要がある。
【０００８】
この目的のために、例えば溶接によって、鍋側壁の外面に金属ブリッジを固定する方法が知られている。次に、金属ネジによりブリッジ上にハンドルを組み立てる。この場合、金属ネジはハンドルを通過して、ブリッジ内部に、鍋の一般対称軸に対して求心的に（即ち、外側から内側に向かい）ネジ留めされている。
【発明の開示】
【発明が解決しようとする課題】
【０００９】
このような圧力調理器は一般的には満足できるものであるが、明らかにいくつかの欠点を伴う。
【００１０】
ブリッジを作成するためにさらに別の未加工材料が必要であり（この未加工材料は鋼鉄製であるため、希少かつ高価になりつつある）、精密な溶接作業に専用の設備だけでなく精通した作業者が必要となることから、金属ブリッジを使用して各ハンドルを鍋に取り付けることは圧力調理器の製造作業の複雑性とコストが増加してしまう。
【００１１】
さらに、仕上がった組み立て品（求心的なネジ止め）を考慮すると、ハンドルをブリッジに組み立てるネジの頭部は圧力調理器の外部から接触できる必要がある。一方、ネジ自体はねじ込む先のブリッジと直接接触し、ブリッジ自体はこれを溶接する鍋の壁と直接接触し、鍋自体は熱源の影響に晒される。その結果、熱伝導によってネジ頭部が非常に高温となり、ハンドルを持とうとして誤ってこの頭部に触れた使用者が火傷を負うことで、重大な事故となってしまう可能性がある。
【００１２】
こうした理由から、ハンドルは、使用者がハンドルを持つ際に誤ってネジ頭部に触れてしまうことがないように適合させる必要がある。こうした適合は、多くの国において安全性基準によって課されているが、さらなる材料が必要なことから圧力調理器の価格を上昇させてしまう。これに対し、圧力調理器は大量に消費されている台所道具であるため、可能な限り多くの人々に受け入れられるものでなければならない。これらの基準の要求によって設計上の制約がさらに増えることで、ハンドルをより魅力的な形状、少なくとも従来のハンドルよりもさらに魅力的あるいは斬新な形状にすることを排除する可能性がある。
【００１３】
したがって、本発明の目的は、上述した欠点を克服し、さらに、構造が特に単純で、信頼性が高く、安価な新規の家庭用圧力調理器を提案することである。
【００１４】
本発明の別の目的は、全体の構造原理がよく知られており、試験済みの新規の家庭用圧力調理器を提案することである。
【００１５】
本発明の別の目的は、特に頑丈な設計の新規の家庭用圧力調理器を提案することである。
【００１６】
本発明の別の目的は、非常に安全に使用できる新規の家庭用圧力調理器を提案することである。
【課題を解決するための手段】
【００１７】
本発明のこれらの目的は、家庭用圧力調理器によって達成され、この家庭用圧力調理器は、
−壁を備えた鍋と、
−鍋に取り付けて、鍋と共に実質的に不浸透性の調理チャンバを形成するように設計された蓋と、
−取り付け手段によって鍋に取り付けられた少なくとも１つのグリップ部とを備えており、
取り付け手段は少なくとも、
−鍋の壁を通過する取り付け口を備え、取り付け口は、調理チャンバの内部と連通しないように鍋の壁上に位置決めされており、
−グリップ部に接続し、取り付け口を通って延びる取り付け部をさらに備えていることを特徴とする。
【００１８】
本発明のこれ以外の特定の様態および利点は、限定ではなく例証の方法で提供された添付の図面を参照しながら以下の説明を読解することでより詳細に明白となる。
【発明を実施するための最良の形態】
【００１９】
本発明による圧力調理器１は、家庭環境において様々な食品を圧力下で調理するように設計されている。すなわち本発明は家庭用圧力調理器である。
【００２０】
したがって、本発明による圧力調理器１は、携帯可能（すなわち手で動かせる）で独立した性質を持つ台所道具である。
【００２１】
有利なことに、本発明による圧力調理器１は、受熱式で、調理用レンジ最上部のような外部熱源の効果によって加圧されるように設計された深鍋を構成する。
【００２２】
優先的に、本発明による圧力調理器１は鍋２を備えており、この鍋２は調理容器を形成し、軸Ｘ−Ｘ’に対して実質的に回転対称的である。これ以降の説明において、「軸方向」という用語はこの対称軸Ｘ−Ｘ’の方向、器具の通常使用時における垂直方向と類似した方向を意味し、鍋２は、例えば、また通常、アルミニウムやステンレス鋼のような金属材料から形成される未完成金属片を型押しして製造される。
【００２３】
鍋２はさらに壁を備えており、この壁自体は、ここで示す実施形態において、
‐例えば円盤状をした基部２Ａと、
‐上記基部２Ａから上昇して基部の周囲を包囲している側壁２Ｂとを備えており、この側壁２Ｂは実質的に環状であり、調理する食品を鍋２の中に導入するための上方開口部２Ｃを画定しており、上記側壁２Ｂはさらに、鍋２の内部で対向した内面３０と、この内面の裏側に位置する外面３１とを設けている。
【００２４】
本発明による圧力調理器１は蓋３をさらに備えており、この蓋３は、好ましくは実質的に不浸透性の調理チャンバを鍋２と共に形成するべく、上記鍋２に取り付けるように設計されている。不浸透性とは即ち、鍋内部の圧力を増加させるために十分な機密性を有するという意味である。
【００２５】
こうして鍋２と蓋３を連結させて形成されたチャンバは、その内部の圧力を大幅に増加できるように設計されているため、調理中にチャンバ内の圧力が大気圧よりも大幅に、例えば大気圧を１０ｋＰａ以上、好ましくは２０ｋＰａ以上超えて上昇させることができる。また、非常に短時間で効率的な調理を可能にするために、内部圧力が大気圧を実質的に４０〜１１０ｋＰａ、好ましくは実質的に５０〜１００ｋＰａ超えるようにチャンバを設計することが考えられる。
【００２６】
蓋３は、鍋２の形状と相補する略円盤状であることが好ましい。
【００２７】
有利なことに、蓋３は必要に応じて鍋２にロックしたり、ロック解除することができる。この場合、蓋３をロックすることで、蓋３が圧力の影響下で逃げることなく、チャンバ内の圧力を増加させる。このために、圧力調理器１は、蓋３を鍋２上にロックする／ロック解除する手段４を備えていることが好ましい。このロック／ロック解除手段４は、当業者に周知である任意タイプのものであってよく、また通常は、蓋３が鍋２に相対的にロックされ（特に図３に示すとおり）、蓋３が鍋２に取り付けられている構造と、蓋３が鍋２から相対的に解除され（特に図４に示すとおり）、蓋３を鍋２から自由に取り外すことができる構造との間で変更することが可能である。
【００２８】
ロック／ロック解除手段４は、蓋３を鍋２に相対的にロックするための部品５、６を少なくとも備えていることが好ましく、この場合、ロック部品５、６の少なくとも一方が蓋３の上に可動取り付け部品を設けており、このロック部品は対応する少なくとも１つの駆動手段によって、印で示されたロック位置（例えば図３に示す）と、印で示された解除位置（例えば図４に示す）の間で、Ｘ−Ｘ’軸に対して実質的に放射状に平行移動する。
【００２９】
図示にはない一実施形態によれば、上記少なくとも１つのロック部品５、６は、鍋２と蓋３のそれぞれの周囲縁をクランプ留めするように設計されたあごを備えていてよい。上記あごは、当業者に周知のように、外端部がＵ字型をした金属板であってよい。
【００３０】
図示した好ましい別の実施形態によれば、本発明による圧力調理器１は、それぞれ２本のロックピン５Ａ、５Ｂ、６Ａ、６Ｂを有する二また部分で形成された２つのロック部品５、６を備えており、上記二また部分は、器具の一般対称軸Ｘ−Ｘ’の反対側に、互いに対向して位置決めされている。
【００３１】
各二また部分の駆動手段は対応する駆動アームで構成されており、上記駆動アームは、例えば対応する二また部分と同じ材料から形成されて良い。
【００３２】
ピン５Ａ、５Ｂ、６Ａ、６Ｂと相補し合うロック開口部５０Ａ、５０Ｂ、６０Ａ、６０Ｂが鍋２の内部に取り付けられていることで、蓋３が鍋２に関連して動くことを実質的に防止するために、ピン／ストライクプレート・ロックシステムと同様、蓋３のロックは、ピン５Ａ、５Ｂ、６Ａ、６Ｂを対応する相補開口部５０Ａ、５０Ｂ、６０Ａ、６０Ｂ（図３を参照）内に挿入することに関連し、一方、蓋３のロック解除は、ピンが開口部５０Ａ、５０Ｂ、６０Ａ、６０Ｂと係合しないように、ピン５Ａ、５Ｂ、６Ａ、６Ｂを対応する開口部５０Ａ、５０Ｂ、６０Ａ、６０Ｂから取り出すことに関連している。
【００３３】
しかし、蓋３を鍋２にロック／解除する手段４は二また部分またはあごシステムに限定されるものではなく、例えばこれ以外の、バヨネットロック／解除タイプやクランプ留めロック／解除タイプとして周知の原理に基づいていてもよい。
【００３４】
本発明によれば、圧力調理器１はさらに、鍋２に取り付けられた、好ましくは鍋２の壁に直接取り付けられた少なくとも１つのグリップ部２０を備えている。グリップ部２０により、使用者は鍋２だけではなく、殆どの場合、圧力調理器１が調理済みまたは未調理の食品が恐らくは調理液と共に入っている状態の圧力調理器１全体（鍋２と蓋３の組立品で形成される）を扱えるようになる。そのため、使用者が必要に応じて圧力調理器１を落とす危険なく手で動かせるように、グリップ部２０は圧力調理器１を簡単かつしっかりと保持できるように設計されている。好ましくは図面に示すように、グリップ部２０は、実質的に鍋２から外部へ、Ｘ−Ｘ’軸に対して半径方向に延びたハンドル２１を少なくとも備えている。
【００３５】
グリップ部２０は、グリップ部２０と鍋２の間の機械接続を可能にする、また好ましくは埋め込み式の機械接続を可能にする取り付け手段２０Ａによって鍋２に取り付けられている。グリップ部２０は鍋２から別個に独立しており、取り付け手段２０Ａによって鍋２に追加および取り付けられることが好ましい。したがって、取り付け手段２０Ａにより、グリップ部２０を鍋２に従属させる、即ち直接取り付けることが可能になる。
【００３６】
本発明によれば、取り付け手段２０Ａは少なくとも取り付け口２００Ａを備え、この取り付け口２００Ａは鍋２の壁を貫通している。即ち鍋の壁の厚さＥ全体を通って延びている。
【００３７】
本発明によれば、取り付け口２００Ａは、調理チャンバの内部と連通しないように、鍋２の壁上に位置決めされている。これは、取り付け口２００Ａが鍋２の壁を完全に貫通するように鍋２の壁に取り付けられている場合には、取り付け口２００Ａは鍋２の壁の、蓋３と共に不浸透性の調理チャンバの形成に貢献しない位置に配置されていることを意味する。
【００３８】
本発明によれば、取り付け手段２０Ａはさらに取り付け部２０１Ａを備えている。取り付け部分２０１Ａはグリップ部２０に接続し、取り付け口２００Ａを通って延びることにより、取り付け部２０を鍋２の壁に取り付けている。そのため、取り付け部２０１Ａは、鍋の壁の厚さＥ全体を通過するように取り付け口２００Ａを貫通している。
【００３９】
好ましくは、取り付け部２０１Ａは、図示するように、グリップ部２０が取り付けられる外端部２０２Ａと、取り付け口２００Ａの周囲にて、鍋２と接触する頭部が取り付けられる内端部２０３Ａとの間で取り付け口２００Ａを通って延びている。
【００４０】
したがって、本発明は、グリップ部２０を鍋２の壁上に取り付ける、非常に単純な原理に基づいており、この取り付け原理は、鍋の壁を一方の側からもう一方の側まで貫通する穴と、この孔を貫通する取り付け部との係合に基づいている。
【００４１】
調理チャンバの密封部をプリザーブ状態にしてしまう特別なシステムの設計および製造を避けるために（これは、圧力調理器１が本来チャンバ内の圧力を大幅に増加させるように設計されていることを考えると絶対的に必要である）、本発明は、鍋２の壁の、調理チャンバの形成に直接貢献しない範囲に位置決めされる取り付け口２００Ａを設けることで、全ての密封上の問題を排除される。
【００４２】
この取り付け口２００Ａの特別な位置決めのお陰で、従来技術のように鍋２の外面に溶接して追加されたブリッジといった追加の取り付け部品を使用する必要がない。
【００４３】
最後に、本発明によれば、取り付け口を鍋２の壁に直接貫通させて簡単に使用し（鍋に付属部分を追加するのではなく）、耐性に優れた調理チャンバの密封部を得ることで、グリップ部２０を鍋２に取り付けることが可能となる。
【００４４】
取り付け口２００Ａは鍋２の側壁２Ｂを貫通しているため有利であり、上記取り付け口２００Ａは、鍋２の内側と対向して位置決めされている側壁２Ｂ内面３０と、内面３０の反対側にあり、圧力調理器１の外側に向いて位置決めされた上記側壁２Ｂ外面３１との間で、側壁２Ｂの厚さＥ全体にかけて延びている。
【００４５】
図示のとおり、圧力調理器１は、鍋２上で対称軸Ｘ−Ｘ’に対して対向して位置決めされた２つのハンドル２１、２２を備えている。この２つのハンドル２１、２２は同一形状であることが好ましく、それぞれのハンドルは、例えば、鍋２の壁に直接固定された基部２１０、２２０を備え、基部と同じ材料で形成され使用者が手で持つように設計されたハンドル２１１、２２１がこの基部から延びている。より詳細には、図示の例では、各ハンドル２１、２２は鍋２の側壁２Ｂの外面３１に直接付けられている。各ハンドル２１、２２は同じ方法で鍋２に取り付けられていることが好ましく、即ち、上述の記述による取り付け口および取り付け部を備える手段によって取り付けられていることが好ましい。
【００４６】
有利なことに、取り付け部２０１Ａは少なくとも１本のネジ４０を備えており、このネジは、頭部４０Ａと、この頭部４０Ａから取り付け口２００Ａを通って延びたねじ切りロッド４０Ｂとを具備する。グリップ部２０は、ねじ切りロッド４０Ｂがねじ込まれるタップ穴５０を有利に具備し、頭部４０Ａ（直径はロッド４０Ｂの直径よりも大きい）は鍋２の内部に位置決めされ、これと接触している、即ち、側壁２Ｂの内面３０と対抗している。
【００４７】
好ましくは、タップ穴５０は、例えばハンドル２２の基部２２０の中に設置されており、さらにこれはめくら穴である。換言すれば、タップ穴５０は器具の外側には開口しておらず、そのため、ハンドル２２を鍋２に組み立てると、取り付け手段２０Ａが完全に隠れ、圧力調理器１の外側から接触できないようになっている。当然の事ながら、ネジ４０が見えなくなるため美観的に優れているという利点があるだけでなく、圧力調理器１の外側でネジが使用者の手と接触することがないため安全面においても有利である。これに対し、ねじ切りロッド４０Ｂは、その全体が、使用者に完全な熱絶縁を提供するべく熱絶縁材料から形成されることが好ましいハンドル２２内部に配置されている。各ハンドル２１、２２は、熱硬化材料、例えば鋳造によって製造された一体型部品であることが好ましく、さらに、熱制約を満たすこれ以外の任意の材料（例えば金属材料）も考慮できることが理解される。
【００４８】
タップ穴５０は、任意の周知の機械技術によって、基部２２０を形成する材料に直接設けることが好ましい。しかし、別の解決法によれば、例えば金属製の挿入物に設けたタップ穴５０を提供することも考えられ、この場合、上記挿入物は、例えばネジ留めまたは鋳造によって基部２２０内に組み込まれる。
【００４９】
有利なことに、蓋３は、実質的に不浸透性の境界範囲６０によって鍋２の側壁２Ｂと接触し、調理チャンバを形成するように設計されている。したがって、調理チャンバは、基部２Ａと、蓋３と、境界範囲６０と、基部２Ａおよび境界範囲６０から延びている側壁部分７０とによって画定されている。取り付け口２００Ａはこの部分７０の外側に設けられている。取り付け口２００Ａは、例えば、チャンバの画定を補助する部分７０から延びる側壁部分８０に配置されており、この場合、上記部分８０は部分７０から上方開口部２Ｃへ延びている。すなわち調理チャンバは、Ｘ−Ｘ’軸が画定する垂直方向に従って、基部２Ａと密封ラインとの間に延びており、この密封ラインは蓋３と鍋２の間の境界範囲に関連している。また、取り付け口２００Ａは鍋２の壁の、基部２Ａと境界範囲６０の間に画定された範囲の外に設けられている。これはつまり、取り付け口２００Ａは、鍋２の壁の、密封ラインを（起点が例えば基部２Ａに対応した基準に関連して）形成している境界範囲６０よりも上の高さに設けられていることを意味する。
【００５０】
蓋３は、基部２Ａと平行に位置するように設計された主要本体３Ａの底部から実質的に延びている降下縁３Ｂを備える。降下縁３Ｂは鍋２内に挿入され、鍋２の内部にて側壁２Ｂの内面３０と不浸透的に接触するように設計されている。
【００５１】
降下縁３Ｂは密封部３Ｃを装備しており、この手段により、鍋２と蓋３の間を不浸透的に接触させることができることが好ましい。
【００５２】
好ましくは、蓋３と側壁２Ｂの間の接触を促進するために、側壁２Ｂに凹部２Ｄを設け、これに対して密封部３Ｃを接触させることが好ましい。これにより、図示の例では、凹部２Ｄは、実質的には側壁２Ｂを切り取った部分であり、この部分によって上記側壁２Ｂの他の２つの部分が接続される。この２つの他の部分の各々は実質的に垂直であるが、直径は異なる。鍋２は基部２Ａから外側に広がっている。
【図面の簡単な説明】
【００５３】
【図１】本発明による家庭用圧力調理器を全体斜視図である。
【図２】図１の圧力調理器を、実質的に垂直である２つの切断平面に従って部分的に断面化した全体斜視図である。
【図３】蓋を鍋にロックした状態にある図１、図２の圧力調理器を、一部を露出させ、断面化した平面図である。
【図４】蓋を鍋にロックしていない状態の図１〜図３の圧力調理器を、部分的に露出させ、断面化した平面図である。
【図５】図１〜図４の圧力調理器の鍋の側部断面図である。
【図６】図５の鍋の拡大詳細図を図５の線Ａ−Ａに従った断面図である。
【図７】図１〜図４の圧力調理器の詳細の断面斜視図である。
【符号の説明】
【００５４】
１  家庭用圧力調理器
２  鍋
２Ａ  基部
２Ｂ  側壁
２Ｃ  上方開口部
２Ｄ  凹部
３  蓋
３Ａ  側壁
３Ｂ  降下縁
３Ｃ  密封部
４  ロック／ロック解除手段
５、６  ロック部品
５Ａ、５Ｂ、６Ａ、６Ｂ  ロックピン
２０  グリップ部
２０Ａ  取り付け手段
５０Ａ、５０Ｂ、６０Ａ、６０Ｂ  相補開口部
２００Ａ  取り付け口
２０１Ａ  取り付け部
２０２Ａ  外端部
２０３Ａ  内端部
２１０、２２０  基部
２１、２２  ハンドル
３０  内面
３１  外面
４０  ネジ
４０Ａ  頭部
４０Ｂ  ねじ切りロッド
５０  タップ穴
６０  不浸透性の境界範囲
７０  チャンバの画定を補助する部分
８０  側壁の部分
【図１】
2009082693.tif 000003
【図２】
2009082693.tif 000004
【図３】
2009082693.tif 000005
【図４】
2009082693.tif 000006
【図５】
2009082693.tif 000007
【図６】
2009082693.tif 000008
【図７】
2009082693.tif 000009
【外国語明細書】
2009082693000001.pdf